(57)【要約】      （修正有）【課題】電撃線の端部同士を簡単容易に確実に連接でき、しかも、強固な連接状態にすることができる防鳥装置を提供する。【解決手段】所定間隔を置いて配置した複数個の碍子部材と、これら碍子部材間に保持された電撃線１と、１ラインの電撃配線を構成する電撃線１の端部１ａ，１ｂ同士を連接する接続部材２と、を備え、前記接続部材２は、同方向に臨む一対の電撃線挿入口と、前記各電撃線挿入口に夫々挿入された電撃線１の端部１ａ，１ｂ同士を導通させる導通手段（導電板）と、前記挿入された電撃線１の端部１ａ，１ｂの抜去方向への移動を規制する抜止手段（電撃線押圧爪）と、を有してなり、前記挿入された電撃線１の一方の端部１ａは折り返し状に形成されてなり、他方の端部１ｂは直線状に形成されてなることを特徴としている。【選択図】図２
2011103806.tif 000002
【特許請求の範囲】
【請求項１】
所定間隔を置いて配置した複数個の碍子部材と、これら碍子部材間に保持された電撃線と、１ラインの電撃配線を構成する電撃線の端部同士を連接する接続部材と、を備え、
前記接続部材は、同方向に臨む一対の電撃線挿入口と、前記各電撃線挿入口に夫々挿入された電撃線の端部同士を導通させる導通手段と、前記挿入された電撃線の端部の抜去方向への移動を規制する抜止手段と、を有してなり、
前記挿入された電撃線の一方の端部は折り返し状に形成され、他方の端部は直線状に形成されてなることを特徴とする防鳥装置。
【請求項２】
前記抜止手段は、挿入された電撃線の端部周面に対して鋭角に傾斜配置して押接する電撃線押圧爪であることを特徴とする請求項１に記載の防鳥装置。
【請求項３】
前記碍子部材は、ポリカーボネートで形成されてなることを特徴とする請求項１又は２に記載の防鳥装置。  
【発明の詳細な説明】
【技術分野】
【０００１】
本発明は、ハトやカラスを始めとする鳥類による糞害や営巣を防止するための防鳥装置に関する。
【背景技術】
【０００２】
近年、市街地での鳥類による被害が多発しており、特に高架橋下、看板や広告塔、電柱、建物のベランダや屋上、ビルの窓枠部、屋根付き駐車場、工場や倉庫、神社や仏閣等では、飛来したハトやカラス等が巣作りしたり、糞を撒き散らして周辺を汚すことが大きな社会問題になっている。
【０００３】
そこで、防鳥対策として、鳥が留まり易い部位に沿って電撃用の金属棒（以下、電撃線という）の端部同士をコイルスプリングを介して連接し、配線していく防鳥装置が知られている（特許文献１）。
【先行技術文献】
【特許文献】
【０００４】
【特許文献１】特開２００５−１６８３７１号公報
【発明の概要】
【発明が解決しようとする課題】
【０００５】
上記従来の防鳥装置は、鳥類に電気ショックを与えることで鳥類の飛来を防止する防鳥対策として一定の効果はあるものの、電撃線の端部同士を、コイルスプリングを介して連接しているため、以下のような問題が生じていた。
【０００６】
すなわち、第１に上記コイルスプリングは、その内側に電撃線の端部を挿通し、ばね力によって該電撃線を巻き締めて係着するものであるが、電撃線の挿通操作に手間がかかる上、電撃線に対する径が微妙に合わず、径が過小で電撃線を挿通できない場合や、逆に径が過大で電撃線を係止できない場合が多々あり、また連接できても使用中に風圧等の外力を受けて簡単に外れてしまうという問題が生じていた。
【０００７】
第２に上記コイルスプリングは、風圧等の外力を受けて微妙に振動することによって金属疲労が生じ、折れやすいという問題が生じていた。
【０００８】
第３に上記コイルスプリングは、電撃線の端部同士を連接するにあたって、碍子部材間の略中央位置で連接すると、電撃線の自重によってコイルスプリングを介して連接している電撃線の端部同士が屈曲してしまうため、碍子部材に近い位置で電撃線の端部同士を連接せざるを得ず、配線構成に制約を受けるという問題が生じていた。
【０００９】
そこで本発明は、上記事情に鑑み、電撃線の端部同士を簡単容易に確実に連接でき、しかも、強固な連接状態にすることができる防鳥装置を提供することを目的としている。
【課題を解決するための手段】
【００１０】
上記目的を達成するために、本発明の請求項１に係る防鳥装置は、図面の参照符号を付して示せば、所定間隔を置いて配置した複数個の碍子部材４と、これら碍子部材４間に保持された電撃線１と、１ラインの電撃配線を構成する電撃線１の端部１ａ，１ｂ同士を連接する接続部材２と、を備え、前記接続部材２は、同方向に臨む一対の電撃線挿入口２１ａと、前記各電撃線挿入口２１ａに夫々挿入された電撃線１の端部１ａ，１ｂ同士を導通させる導通手段（導電板２２）と、前記挿入された電撃線１の端部１ａ，１ｂの抜去方向への移動を規制する抜止手段（電撃線押圧爪２１ｊ）と、を有してなり、前記挿入された電撃線１の一方の端部１ａは折り返し状に形成され、他方の端部１ｂは直線状に形成されてなることを特徴としている。
【００１１】
請求項２の発明は、上記請求項１の防鳥装置において、前記抜止手段は、挿入された電撃線１の端部１ａ，１ｂ周面に対して鋭角に傾斜配置して押接する電撃線押圧爪２１ｊであることを特徴としている。
【００１２】
請求項３の発明は、上記請求項１又は２に記載の防鳥装置において、前記碍子部材４は、ポリカーボネートで形成されてなることを特徴としている。
【発明の効果】
【００１３】
請求項１の発明に係る防鳥装置によれば、接続部材２が同方向に臨む一対の電撃線挿入口２１ａを有し、１ラインの電撃配線を構成する電撃線１における接続すべき一方の端部１ａが折り返し状で、他方の端部１ｂが直線状であるから、これら両端部１ａ，１ｂを接続部材２の各電撃線挿入口２１ａに同方向から挿入するだけで、極めて簡単に連接して電気導通させることができる。また、上記両端部１ａ，１ｂを接続部材２の各電撃線挿入口２１ａに同方向から挿抜可能なようにしているから、上記両端部１ａ，１ｂを挿抜する際に、接続部材２と上記両端部１ａ，１ｂが干渉しあって破損してしまうということがない。さらには、接続部材２の内部で電撃線１の端部１ａ，１ｂ同士が平行に配置した形になるから、接続部分での屈曲が生じず、もって、碍子部材４からの距離に関係なく接続位置を設定できて配線構成に制約を受けることがない。
【００１４】
また、本発明によれば、上記接続部材２は、抜去方向への移動を規制する抜止手段を有しているから、接続部材２に挿入された電撃線１の端部１ａ，１ｂに抜去方向への外力が加わったとしても、挿入された電撃線１の端部１ａ，１ｂが簡単に抜けることがない。それがために、１ラインの電撃配線を構成する電撃線１の端部１ａ，１ｂ同士を確実に連接することができると共に、長期に亘って安定した電撃作用を確実に発揮することができる。
【００１５】
請求項２の発明によれば、前記抜止手段は電撃線押圧爪２１ｊからなり、その電撃線押圧爪２１ｊは挿入された電撃線１の端部１ａ，１ｂ周面に対して鋭角に傾斜配置して押接するから、挿入された電撃線１の端部１ａ，１ｂの表層部に電撃線押圧爪２１ｊが強く噛み込み、それがために、挿入された電撃線１の端部１ａ，１ｂが接続部材２から簡単に抜け出すことがない。それゆえ、１ラインの電撃配線を構成する電撃線１の端部１ａ，１ｂ同士をより確実に連接できると共に、長期に亘って安定した電撃作用を発揮することができる。
【００１６】
請求項３の発明によれば、上記碍子部材４をポリカーボネートで形成しているから、耐久性に優れ、直射日光や風雨に晒されたとしても簡単に老朽化することがない。しかして、鳥が留まり易い部位に沿って配線された電撃配線を長期に亘って保持することができる耐久性に優れた防鳥装置を提供することができる。
【図面の簡単な説明】
【００１７】
【図１】本発明の一実施形態に係る防鳥装置の斜視図である。
【図２】同防鳥装置の一部拡大分解斜視図である。
【図３】同防鳥装置に係る接続部材の分解斜視図である。
【図４】同接続部材の縦断面図である。
【図５】同接続部材の正面図である。
【図６】同防鳥装置に係る取付チップの斜視図である。
【図７】同取付チップの縦断面図を示し、（Ａ）は図６のＡ−Ａ線の断面矢視図、（Ｂ）は図６のＢ−Ｂ線の断面矢視図である。
【図８】同防鳥装置に係る碍子部材を示し、（Ａ）は側面図、（Ｂ）は正面図、（Ｃ）は（Ａ）のＣ−Ｃ線の断面矢視図である。
【図９】同防鳥装置に係る碍子部材の取付部分を示し、（Ａ）は縦断側面図、（Ｂ）は縦断正面図である。
【図１０】同防鳥装置に係る取付チップの取付基体に対する止着状態を示し、（Ａ）はねじ止めによる止着状態の縦断正面図、（Ｂ）は接着による止着状態の縦断正面図である。
【発明を実施するための形態】
【００１８】
以下、本発明に係る防鳥装置の実施形態について、図面を参照して具体的に説明する。
【００１９】
本実施形態に係る防鳥装置は、鳥が留まり易い部位に沿って１ラインの電撃線を配線するにあたって、図１に示すように、複数個（図示では２個）の碍子部材４を、取付基体Ｍに取付チップ３を介して所定間隔置きに配置し、その各碍子部材４に電撃線１を夫々挿通支持させる。そして、その電撃線１の端部同士を、所要箇所で、接続部材２を介して連接させる。そうすることで、鳥が留まり易い部位に沿って１ラインの電撃線を配線することができる。しかして、図１には、このように配線された１ラインの電撃線が複数配線され、合計３ラインの電撃線が直線状に配線されている。なお、本実施形態においては、３ラインの電撃線を配線したものを例示しているが、２ラインの電撃線を配線してもよいし、４ライン以上の電撃線を配線してもよい。
【００２０】
以上のように構成される防鳥装置を用いて、鳥類の飛来を防止するには、本実施形態の防鳥装置に係る電撃線１の端部を夫々通電させればよい。そうすることで、これに留まろうとした鳥に軽い電気ショックを与えることができ、鳥類の飛来を防止することができる。以下、上記説明した防鳥装置の構造についてより詳細に説明する。
【００２１】
電撃線１は、裸導線であり、その電撃線１の端部同士を所要箇所で連接するにあたって、図２に示すように、一対の電撃線１が接続部材２に同方向から挿入されている。すなわち、上記一対の電撃線１に係る一方の端部１ａをＵ字状に折り返し形成し、他方の端部１ｂを直線状に形成することで、一対の電撃線１の端部１ａ，１ｂを接続部材２に同方向から挿入できるようにしている。なお、電撃線１としては、大型の鳥が留まらせる剛性と機械的強度を確保するために、ＳＵＳ３０４等の硬度の高い金属材料で、１．５〜３．０ｍｍ程度の線径を有することが好ましい。
【００２２】
接続部材２は、図３に示すように、接続部材本体２０と、その接続部材本体２０の後端部に挿入される一対の金属板からなる電撃線押圧体２１と、その一対の電撃線押圧体２１に挿入支持される矩形状の導電板２２と、上記接続部材本体２０の前端部に挿入される合成樹脂で成形されてなる蓋体２３と、で構成されている。
【００２３】
接続部材本体２０は、後端部に上記一対の電撃線押圧体２１が夫々収容可能な電撃線押圧体収容部２０ａが形成され、その電撃線押圧体収容部２０ａには、上記一対の電撃線押圧体２１の位置決めをする仕切り壁２０ｂ（図示では３つ）が所定間隔置きに立設されている。そして前端部には、上記蓋体２３が収容可能な蓋体収容部２０ｃが形成され、その蓋体収容部２０ｃの対向側面には、係合孔２０ｄが夫々設けられている。
【００２４】
電撃線押圧体２１は、図３乃至図５に示すように、電撃線挿入口２１ａを有する前端の第１壁２１ｂと、その一端から後方に向かって短く伸びる第２壁２１ｃと、上記第１壁２１ｂの他端から後方に向かって長く伸びる第３壁２１ｄと、後端の第４壁２１ｅと、その一端から前方に向かって伸びる第５壁２１ｆとで一体形成されている。そしてさらに、第２壁２１ｃの後端部はヘアピン状に折り曲げ形成されて第１折り曲げ部２１ｈが形成され、その第１折り曲げ部２１ｈが上記第１壁２１ｂの近傍で折り曲げ形成されて第２折り曲げ部２１ｉを形成し、その先端部に電撃線押圧爪２１ｊが形成されている。
【００２５】
一方、上記第５壁２１ｆの前端側は、上記第１折り曲げ部２１ｈに接すると共に、その接している部分がＵ字形に折り曲げ形成されて第３折り曲げ部２１ｋを形成し、その先端部に電撃線押圧爪２１ｌが形成されている。なお、符号Ｓは、電撃線押圧体２１の内部に形成される空隙である。
【００２６】
導電板２２は、銅等の良導電性金属板からなり、所定寸法の方形に切断したものである。
【００２７】
蓋体２３は、前端面に同方向に臨む一対の電撃線案内孔２３ａが形成され、その内奥に一対の電撃線１の端部１ａ，１ｂを夫々挿通可能な透孔２３ｂが形成されている。そして、蓋体２３の対向する外側面には、係止爪２３ｃが夫々、突設されている。なお、蓋体２３の開口縁部は、前端面から後端面に向うにつれて（電撃線案内孔２３ａから透孔２３ｂに向うにつれて）、電撃線１の端部１ａ，１ｂを円滑に挿入するためにテーパー状になっている（図４参照）。
【００２８】
このように構成される接続部材２の組み立て方は、まず、図３に示すように、一対の電撃線押圧体２１の空隙Ｓ内に導電板２２を第３壁２１ｄに接するように挿入し、導電板２２を一対の電撃線押圧体２１にて挿入支持する。そして、前述のように導電板２２を挿入支持してなる一対の電撃線押圧体２１を、接続部材本体２０の電撃線押圧体収容部２０ａに収容する。
【００２９】
すなわち、電撃線押圧体収容部２０ａに一対の電撃線押圧体２１を収容するにあたって、一対の電撃線押圧体２１は、上記電撃線押圧体収容部２０ａの底壁面及び仕切り壁２０ｂ（図示では３つ）によって位置決めされ、所定間隔置きに形成されてなる仕切り壁２０ｂ間に、一対の電撃線押圧体２１の第３壁２１ｄ，第４壁２１ｅ及び第５壁２１ｆが夫々挿入されることで、電撃線押圧体収容部２０ａに一対の電撃線押圧体２１が収容される。
【００３０】
そして次に、一対の電撃線押圧体２１が電撃線押圧体収容部２０ａに収容された後、図３に示すように、蓋体２３を蓋体収容部２０ｃに挿入する。これにより、蓋体２３の係止爪２３ｃが夫々蓋体収容部２０ｃの係合孔２０ｄに係合され（図４参照）、蓋体２３が蓋体収容部２０ｃに収容されることとなる。
【００３１】
しかして、上記のように組み立てられる接続部材２に電撃線１の端部１ａ，１ｂを夫々挿入するには、接続部材２が有する同方向に臨む一対の電撃線挿入口２１ａ（図５参照）に、図４に示すように、電撃線１の端部１ａ，１ｂを夫々挿入する。これにより、電撃線１の端部１ａ，１ｂの先端は、電撃線押圧爪２１ｊ，２１ｌを押し開いて侵入し、所定位置まで侵入する。そして、電撃線１の端部１ａ，１ｂの先端が所定位置まで侵入すると、電撃線１の端部１ａ，１ｂ周面は電撃線押圧爪２１ｊ，２１ｌによって導電板２２に押接され、導電板２２の表面に線接触又は面接触する。それがために、電撃線１の端部１ａ，１ｂは、導電板２２を介して電気的に連接されることとなる。
【００３２】
一方、接続部材２に挿入された電撃線１の端部１ａ，１ｂに抜去方向への外力が加わった場合は、電撃線１の端部１ａ，１ｂの表層部へ電撃線１の端部１ａ，１ｂの挿入方向に対して鋭角に傾斜している電撃線押圧爪２１ｊが押接し強く噛み込むようになっている。それがために、電撃線１の端部１ａ，１ｂが接続部材２から簡単に抜け出すようなことがない。
【００３３】
取付チップ３は、全体がポリカーボネート等からなる硬質合成樹脂成形物からなり、図６及び図７に示すように、平面視正方形の板状ベース部３０の上面中央に下向きコ字枠状のゲート３２が突設され、その板状ベース部３０がゲート３２の前後両側で膨出部３０ａ，３０ａによって厚肉化されている。そして、この膨出部３０ａ，３０ａの前後に、第１の貫通孔３１，３１が上下方向に貫設され、上記板状ベース部３０の上面左右両側に、碍子保持部を構成する一対のスライド嵌合部３６，３６が立設されている。なお、第１の貫通孔３１は、板状ベース部３０の上面側では前後方向に沿う長孔として開口すると共に、同下面側では丸孔として開口しており、図７（Ａ）に示すように、ゲート３２側の内側面部が垂直で、反対側の内側面が傾斜した形になっている。また、ゲート３２の前端側の上縁部３２は、後方へ突出している。
【００３４】
一方、上記碍子保持部の各スライド嵌合部３６は、前後方向に沿う垂直壁部３６ａの前後両側部に、上端から内向きに突出する係合片３６ｂ，３６ｂが一体形成されている。
【００３５】
さらに、板状ベース部３０には、各係合片３６ｂの下方位置とゲート３２の下方位置との計５箇所に、前後方向に長い略矩形の第２の貫通孔３４・・・が設けられると共に、図７（Ｂ）に示すように、ゲート３２と左右の垂直壁部３６ａ，３６ａとの間に、円形で上方へ拡径したねじ止め孔３５，３５が開設されている。そして、板状ベース部３０の左右側縁は、上半部３３ａを傾斜面として厚みを約半分に減じている。
【００３６】
以上のように形成される取付チップ３の通常サイズは、板状ベース部３０の一辺が２０〜５０ｍｍ程度、その板状ベース部３０の膨出部３０ａ以外の厚みが１〜３ｍｍ程度、ゲート３２及びスライド嵌合部３６の板状ベース部３０下面からの高さが５〜１０ｍｍ程度、にそれぞれ設定される。なお、本実施形態において、取付チップ３の材質として、ポリカーボネート等からなる硬質合成樹脂を示したが、他の材質でもよい。しかしながら、取付チップ３の材質としては、耐久性に優れているポリカーボネートが好ましい。
【００３７】
碍子部材４は、図８（Ａ）〜（Ｃ）に示すように、側面視が略６０°楕円を短軸に沿って半割した形で、底面外形が略２５°楕円をなし、底面側に開放したポリカーボネート等からなる硬質合成樹脂中空成形物で形成されている。そして、碍子部材４の左右両側面には、大小の二等辺三角形の各頂点をなすように外側及び内側各３つの電撃線挿通孔４１ａ，４１ｂが左右方向に貫通されている。また、前後方向にも上下２つの電撃線挿通孔４１ｃが貫通されている。さらに、この碍子部材４には、図１の如く碍子部材４を上記取付チップ３に嵌着させるために、左右両側面の下部に前後方向に沿うスライドガイド溝４２，４２が形成されると共に、前端下部に中空内部４０へ連通して下方に開く矩形開口部４３が設けられ、また後部の下方突出によって前方に臨むストッパー段部４４が形成されている。なお、本実施形態において、碍子部材４の材質として、ポリカーボネート等からなる硬質合成樹脂を示したが、他の材質でもよい。しかしながら、碍子部材４の材質としては、耐久性に優れているポリカーボネートが好ましい。
【００３８】
上記のように形成される碍子部材４を図１の如く取付チップ３に嵌着するには、図９（Ａ）（Ｂ）に示すように、電撃配線を施す取付基体Ｍの要所に予め止着した取付チップ３に対し、そのスライド嵌合部３６，３６の間に下部が入り込むように前方側からスライド嵌合操作する（図９（Ａ）参照）。これにより、取付チップ３のスライド嵌合部３６，３６の係合片３６ｂ，３６ｂが碍子部材４の両スライドガイド溝４３，４３に嵌入し、碍子部材４のストッパー段部４４が上記取付チップ３の板状ベース部３０の端縁に当接することで、碍子部材４はより以上の前方移動が不能な位置決め嵌着状態となり、碍子部材４を図１の如く取付チップ３に嵌着することができる。なお、取付チップ３の中央部で突出するゲート３２は、碍子部材４に干渉せずに矩形開口部４３から図９（Ｂ）の如く中空内部４０へ入り込むので、スライド嵌合操作の支障になることはない。
【００３９】
一方、碍子部材４を嵌着した取付チップ３を図１の如く取付基体Ｍに止着する方法は、図１０（Ａ）〜（Ｂ）に示す方法を採用することができる。すなわち、図１０（Ａ）に示すように、取付基体Ｍに対して、ねじ止め孔３５，３５を利用してねじＮによってねじ止めすることができる。あるいは、図１０（Ｂ）に示すように、取付基体Ｍに対して、例えばエポキシ系接着剤の如き主剤と硬化剤とからなる二液性ボンド等の接着剤Ｔによって接着固定することができる。図１０（Ｂ）に示す接着固定では、接着剤Ｔが第２の貫通孔３４・・・及びねじ止め孔３５，３５に入り込んで固化することでアンカー作用を発揮するから、当該取り付けチップ３は固着強度が格段に増大して剥落しにくくなる。なお、この接着固定を行う際、碍子部材４を取付チップ３にあらかじめ嵌着させておき、取付チップ３の底面に接着剤Ｔを塗布し、取付基体Ｍに止着するのが好ましい。取付チップ３のみを取付基体Ｍに接着固定した場合、接着剤Ｔによって、取付チップ３に碍子部材４をスライド嵌合できない場合があるからである。
【００４０】
このように、第２の貫通孔３４・・・及びねじ止め孔３５，３５を有する取付チップ３を用いれば、取付基体Ｍの材質を問わず、様々な場所に取付チップ３を確実に固定することができる。しかも、碍子部材４を上記のような取付チップ３にスライド嵌合するだけで、簡単に嵌着することができるから、碍子部材４を、取付基体Ｍに確実に配置固定することができる。
【００４１】
以上説明した本実施形態によれば、接続部材２が同方向に臨む一対の電撃線挿入口２１ａを有し、１ラインの電撃配線を構成する電撃線１における接続すべき一方の端部１ａが折り返し状で、他方の端部１ｂが直線状であるから、これら両端部１ａ，１ｂを接続部材２の各電撃線挿入口２１ａに同方向から挿入するだけで、極めて簡単に連接して電気導通させることができる。また、上記両端部１ａ，１ｂを接続部材２の各電撃線挿入口２１ａに同方向から挿抜可能なようにしているから、上記両端部１ａ，１ｂを挿抜する際に、接続部材２と上記両端部１ａ，１ｂが干渉しあって破損してしまうということがない。さらには、接続部材２の内部で電撃線１の端部１ａ，１ｂ同士が平行に配置した形になるから、接続部分での屈曲が生じず、もって、碍子部材４からの距離に関係なく接続位置を設定できて配線構成に制約を受けることがない。
【００４２】
一方、上記接続部材２は、電撃線押圧爪２１ｊを有しているから、その接続部材２に挿入された電撃線１の端部１ａ，１ｂに抜去方向への外力が加わったとしても、電撃線１の端部１ａ，１ｂの表層部へ電撃線押圧爪２１ｊが押接し強く噛み込むため、接続部材２に挿入された電撃線１の端部１ａ，１ｂが夫々簡単に抜け出すことがない。それがために、１ラインの電撃配線を構成する電撃線１の端部１ａ，１ｂ同士を確実に連接することができると共に、長期に亘って安定した電撃作用を確実に発揮することができる。
【００４３】
なお、本実施形態において例示した接続部材の形状は、実施形態で例示した形状以外に種々設計変更可能である。
【００４４】
また、碍子部材と取付チップとのスライド嵌合部は、その凹凸関係が実施形態で例示した凹凸関係と逆であってもよい。さらに、碍子部材における全体形状、電撃線挿通孔の数と配置についても、例示以外に種々設計変更可能である。
【符号の説明】
【００４５】
１            電撃線
１ａ        （折り返し状に形成されてなる）端部
１ｂ        （直線状に形成されてなる）端部
２            接続部材
２１ａ        電撃線挿入口
２１ｊ        電撃線押圧爪（抜止手段）
２２          導電板（導通手段）
４            碍子部材
【図１】
2011103806.tif 000003
【図２】
2011103806.tif 000004
【図３】
2011103806.tif 000005
【図４】
2011103806.tif 000006
【図５】
2011103806.tif 000007
【図６】
2011103806.tif 000008
【図７】
2011103806.tif 000009
【図８】
2011103806.tif 000010
【図９】
2011103806.tif 000011
【図１０】
2011103806.tif 000012